(57)【特許請求の範囲】
【請求項１】
特定情報が表現された印刷層である特定情報印刷層が形成された紙であるラベル紙と、
前記特定情報印刷層を覆って形成された隠蔽層と、
前記ラベル紙を支持するための薄板状の支持体と、を備え、
前記ラベル紙が、前記特定情報印刷層が形成されていない側の面において、ラベル紙の全面に一様に形成された粘着剤層により、前記支持体に接着されており、
前記支持体には、吊り下げ用の孔が形成されていることを特徴とする支持体付ラベル。
【請求項２】
さらにカードを備え、前記支持体のラベル紙が貼付された面と反対側の面に、接着剤層を介して前記カードが接着されていることを特徴とする請求項１に記載の支持体付ラベル。
【請求項３】
前記ラベル紙は、坪量２６０ｇ／ｍ２以下の紙であることを特徴とする請求項１または請求項２に記載の支持体付ラベル。
【請求項４】
吊り下げ用の孔を形成して、薄板状の支持体を作成するステップと、
ラベル紙を含む連続状のタック紙において、各ラベル紙に特定情報が表現された印刷層である特定情報印刷層を形成するステップと、
前記特定情報印刷層を覆って隠蔽層を形成するステップと、
前記タック紙を巻き取るステップと、
前記巻き取り状態のタック紙から各ラベル紙を剥離して、前記支持体に貼付するステップと、
を有することを特徴とする支持体付ラベルの製造方法。                                                                                
【発明の詳細な説明】
【技術分野】
【０００１】
本発明は、店舗等に陳列するため、吊り下げ台紙等の支持体に貼付されたラベルに関する。
【背景技術】
【０００２】
従来、携帯可能な大きさの商品を店舗で販売する際、吊り下げ型の台紙に装着し、台紙ごと吊り下げて陳列することが行われている。利用者は、購入後、吊り下げ型の台紙から商品を分離し、商品を利用することになる。
【０００３】
近年、コンビニエンスストアやスーパーマーケット、家電量販店、百貨店、雑貨店で販売されているギフトカード、例えば、ＰＯＳＡ（登録商標）カード等のギフトカードあるいはプリペイドカード（単にカードと呼ぶ）は、カードを印刷された台紙に接着剤で貼り付けたような構造になっており、目視可能なように店舗内に立てかけられたり、吊り下げられたりして販売されている。
【０００４】
カードを吊り下げ用の台紙に付加して販売するための一形態として、出願人も、吊り下げ用の台紙と一体化した形態のカードを開発している（特許文献１、２参照）。
【先行技術文献】
【特許文献】
【０００５】
【特許文献１】特開２０１２−６６９３４号公報
【特許文献２】特開２０１４−１１７８１６号公報
【発明の概要】
【発明が解決しようとする課題】
【０００６】
しかしながら、台紙に印刷を行う場合は、全ての印刷内容が決定した後でなければ、台紙に印刷を行うことができず、台紙の作り置きが難しいという問題がある。また、従来の台紙にカードを貼付するタイプの場合は、カード自体および製造のコストが高いという問題がある。
【０００７】
そこで、本発明は、台紙等の支持体を事前に作り置きしておくことができるとともに、製造コストを低減することが可能な支持体付ラベルおよび支持体付ラベルの製造方法を提供することを課題とする。
【課題を解決するための手段】
【０００８】
上記課題を解決するため、本発明第１の態様では、
特定情報が表現された印刷層である特定情報印刷層が形成された紙であるラベル紙と、
前記特定情報印刷層を覆って形成された隠蔽層と、
前記ラベル紙を支持するための支持体と、を備え、
前記ラベル紙が、前記特定情報印刷層が形成されていない側の面において、ラベル紙の全面に一様に形成された粘着剤層により、前記支持体に接着されていることを特徴とする支持体付ラベルを提供する。
【０００９】
本発明第１の態様によれば、特定情報が表現された印刷層である特定情報印刷層が形成された紙であるラベル紙と、特定情報印刷層を覆って形成された隠蔽層と、ラベル紙を支持するための支持体と、を備え、ラベル紙が、特定情報印刷層が形成されていない側の面において、ラベル紙の全面に一様に形成された粘着剤層により、支持体に接着されているので、隠蔽層を備えたラベル紙が支持体に貼付された支持体付ラベルを、低コストで製造することが可能となる。
【００１０】
また、本発明第２の態様では、さらにカードを備え、前記支持体のラベル紙が貼付された面と反対側の面に、接着剤層を介して前記カードが接着されていることを特徴とする。
【００１１】
本発明第２の態様によれば、支持体付ラベルが、さらにカードを備え、支持体のラベル紙が貼付された面と反対側の面に、接着剤層を介してカードが接着されているので、ラベルとカードをそれぞれ利用して多様なサービスの提供が可能となる。
【００１２】
また、本発明第３の態様では、前記ラベル紙は、坪量２６０ｇ／ｍ2以下の紙であることを特徴とする。
【００１３】
本発明第３の態様によれば、隠蔽層を備え、支持体に接着されたラベル紙は、坪量２６０ｇ／ｍ2以下の紙であるので、ラベル紙の作成過程において、ロール状の連続紙の状態で扱うことができ、低コストで柔軟な製造が可能となる。
【００１４】
また、本発明第４の態様では、
ラベル紙を含む連続状のタック紙において、各ラベル紙に特定情報が表現された印刷層である特定情報印刷層を形成するステップと、
前記特定情報印刷層を覆って隠蔽層を形成するステップと、
前記タック紙を巻き取るステップと、
前記巻き取り状態のタック紙から各ラベル紙を剥離して、支持体に貼付するステップと、
を有することを特徴とする支持体付ラベルの製造方法を提供する。
【００１５】
本発明第４の態様によれば、ラベル紙を一つの層として含む連続状の複数層のタック紙上の各ラベル紙に、特定情報が表現された印刷層である特定情報印刷層を形成するステップと、特定情報印刷層を覆って隠蔽層を形成するステップと、タック紙を巻き取るステップと、タック紙から各ラベル紙を剥離して、支持体に貼付するステップを有する製造方法により支持体付ラベルを製造するようにしたので、隠蔽層を備えたラベル紙が支持体に貼付された支持体付ラベルを、低コストで製造することが可能となる。
【発明の効果】
【００１６】
本発明によれば、台紙等の支持体を事前に作り置きしておくことができるとともに、製造コストを低減することが可能となる。
【図面の簡単な説明】
【００１７】
【図１】本発明の一実施形態に係る支持体付ラベルのラベルＬ側から見た平面図である。
【図２】本発明の一実施形態に係る支持体付ラベルの層構成を示す断面図である。
【図３】本発明の一実施形態に係る支持体付ラベルの製造方法を示すフローチャートである。
【図４】ラベルＬが連続する連続紙を示す平面図である。
【図５】本発明の変形例に係る支持体付ラベルの層構成を示す断面図である。
【図６】本発明の変形例に係る支持体付ラベルの製造方法を示すフローチャートである。
【図７】カードを付加した場合の支持体付ラベルのラベルＬ側から見た平面図である。
【図８】カードを付加した場合の支持体付ラベルの層構成を示す断面図である。
【発明を実施するための形態】
【００１８】
以下、本発明の好適な実施形態について、図面を参照して詳細に説明する。
＜１．支持体付ラベルの構造＞
図１は、本発明の一実施形態に係る支持体付ラベルのラベルＬ側から見た平面図である。図２は、図１のＡ−Ａ線に対応する断面図であり、支持体付ラベルの層構成を示している。
【００１９】
図１、図２において、Ｌはラベル、１はラベル紙、２は粘着剤層、３は粘着剤層、４はシール基材、５は剥離層、６は隠蔽層、７は支持体、７ａは吊り下げ用孔、１０は支持体付ラベルである。ラベルＬは、ラベル紙１、粘着剤層２、粘着剤層３、シール基材４、剥離層５、隠蔽層６により構成されており、隠蔽層６を削ることにより、印刷された情報を確認することが可能なスクラッチラベルとなっている。図１、図２の例では、吊り下げ用孔７ａを備えた支持体７に、ラベルＬを貼付した状態を示している。図１の平面方向におけるラベルＬ（ラベル紙１）のサイズは、適宜設定することができるが、図１に示した例では、長辺の長さ（図面左右方向）が７５ｍｍ、短辺の長さ（図面上下方向）が４０ｍｍである。また、支持体７のサイズは、ラベルＬが収まる大きさで適宜設定することができるが、図１に示した例では、短辺の長さ（図面左右方向）が１０１ｍｍ、長辺の長さ（図面上下方向）が１３２ｍｍである。
【００２０】
図２においては、説明の便宜上、支持体付ラベル１０のサイズ（図面左右方向）に比べて各層の厚さが厚く描かれているが、支持体付ラベル１０は全体として薄板状またはシート状であるため、現実には、各層は、より薄く形成されている。例えば、図２における幅（図面左右方向）が、数ｃｍ〜数十ｃｍであるのに対して、厚さ（図面上下方向）は、数十μｍ〜数百μｍ程度である。図２に示す層構成において、現実には、上下の区別はないが、説明の便宜上、図面上側を上層、図面下側を下層と表現することにする。したがって、図２においては、最上層が隠蔽層６、最下層が支持体７となっている。
【００２１】
ラベル紙１の一方の面（図２における図面下側の面）には、所定の領域に、特定情報が表現された印刷層である特定情報印刷層（図示省略）が形成されている。特定情報としては、その内容は特に限定されず、隠蔽しておく意味がある情報であればよい。例えば、各ラベルごとに異なる個別情報を用いることができる。特定情報印刷層を隠蔽層６で覆っておき、隠蔽層６を削り取ることにより、スクラッチくじや、ＰＯＳＡなどに用いるスクラッチラベルを実現することができる。
【００２２】
支持体付ラベル１０においては、特定情報印刷層に重ねて、上層に粘着剤層３が形成されている。特に、本実施形態では、粘着剤層３は、特定情報印刷層を覆うようにして形成されている。すなわち、粘着剤層３の面積が、特定情報印刷層の面積よりも大きくなるように形成されている。この粘着剤層３は、隠蔽シールの一部として、隠蔽層６を含む隠蔽シールをラベル紙１側に貼付するために用いられる。ラベル紙１の下層には、粘着剤層２が形成されている。粘着剤層２によりラベル紙１は、支持体７に接着されている。
【００２３】
粘着剤層３、シール基材４、剥離層５、隠蔽層６は、特定情報印刷層が形成された範囲を全て含む範囲で形成される。粘着剤層３、シール基材４、剥離層５、隠蔽層６は、特定情報印刷層が形成された範囲を含む最小限の面積で形成されていればよい。粘着剤層３については、必ずしも特定情報印刷層が形成された範囲を全て含む範囲で形成する必要はないが、シール基材４、剥離層５、隠蔽層６については、特定情報印刷層を隠蔽するため、特定情報印刷層が形成された範囲を全て含む範囲で形成する必要がある。
【００２４】
また、図１の例では、ラベルＬが存在する箇所以外では、「ＳＡＭＰＬＥ」の文字以外を無地（白紙）の状態とし、絵柄等を省略しているが、必要に応じて印刷等により支持体７の表面に任意の情報や絵柄を形成しておいてもよい。また、ラベル紙１の表面に、所定の情報を記録したバーコードが印刷されている。なお、図１の例では、隠蔽層６に重ねて地紋印刷を行った状態を示している。ラベル紙１の表面への絵柄等の印刷は、オフセット印刷、グラビア印刷、スクリーン印刷、インクジェット印刷、電子写真印刷等の公知の印刷法で行うことができる。
【００２５】
＜２．各層の構成＞
ラベル紙１は、ラベルＬ本体としての役割を果たすものである。ラベル紙１には、隠蔽層６により隠蔽される特定情報とともに、隠蔽されない情報も印刷されている。ラベル紙１としては、用途に応じて種々の紙が適用できる。例えば、上質紙、中質紙、下級紙、色上質紙等の非塗工紙、アート紙、コート紙、軽量コート紙等の塗工紙、エンボス紙、キャストコート紙、クラフト紙等のいずれでもよく、用途によって適宜選択すればよい。ラベル紙が紙であることにより、プラスチックフィルム等に比べて、加工の容易度が高まる。
【００２６】
本実施形態では、ラベルＬは、上紙、粘着剤層、剥離紙の３層構造を有するタック紙に加工をすることにより作成される。連続紙状のタック紙に印刷等の加工を行って上紙を所定の範囲で切り取り、上紙をラベル紙とするラベルが得られる。タック紙としては、公知の様々なものを用いることができる。タック紙としては上紙が、インクジェット印刷に適しているものが好ましい。例えば、シーレックス社製「アート紙１３５ｋｇ／四六判」を使用することができる。上紙が印刷適性を有していない場合には、ＯＰ（Over Print）ニス等を塗布することにより、印刷適性を高めることができる。
【００２７】
ラベル紙１は、従来の台紙等の支持体の付されたカードの代わりに用いられる。ラベル紙１は、従来のカードよりも薄い。ラベル紙が従来のカードよりも薄いことにより、タック紙の上紙を用いることができ、ラベル紙そのもののコスト、粘着剤を含めたコスト、取扱いの容易さによる製造時のコストを低減することができる。
【００２８】
ラベル紙１の厚さは、２００μｍ（０．２ｍｍ）以下であることが好ましく、１８０μｍ以下であることがより好ましい。ラベル紙が厚過ぎると、ロール状に巻き取ることが難しく、作成したラベルの保管が困難となるためである。ラベル紙１の厚さは、薄い側においては特に限りはないが、現実的には５０μｍ以上である。ラベル紙が薄過ぎると、作成途中においてラベル自体を破損する可能性が高まるためである。坪量の場合、ラベル紙１の坪量は、２６０ｇ／ｍ2以下であることが好ましく、１６０ｇ／ｍ2以下であることがより好ましい。このように、ラベル紙の厚さや坪量に制限を設けることにより、ロール状に巻き取られたタック紙から、ラベル紙１を製造することが可能となる。
【００２９】
ラベル紙１は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００３０】
粘着剤層２は、ラベルＬの一部として支持体７側にラベル紙１を貼付するための層である。粘着剤層２としては、アクリル系粘着剤が最も好ましいが、天然ゴム系粘着剤、合成ゴム系粘着剤、シリコーンゴム系粘着剤等でも良い。粘着剤層２を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。粘着剤層２は、ラベルＬを貼付し易くするため、ラベル紙１の全面に一様に塗布されている。一様に塗布されていれば、間欠的であってもよく、いわゆるベタ塗りされていなくてもよい。
【００３１】
粘着剤層３は、隠蔽シールの一部としてラベル紙１側にシール基材４を貼付するための層である。粘着剤層３としては、粘着剤層２と同様、アクリル系粘着剤が最も好ましいが、天然ゴム系粘着剤、合成ゴム系粘着剤、シリコーンゴム系粘着剤等でも良い。粘着剤層２を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。粘着剤層３は、隠蔽シールを貼付し易くするため、粘着性を有している。粘着剤層３の形成に用いられる粘着剤は、隠蔽層６が削られた後、特定情報を視認可能とするため、透明または半透明とする必要がある。
【００３２】
シール基材４は、隠蔽層６を備えた隠蔽シールの基材となるものである。シール基材４は、ラベル紙１を支持体７に貼付するまでの間、所定の領域における特定情報印刷層を保護する保護層としての機能も有している。シール基材４としては、耐熱性、機械的強度、耐溶剤性等を有するものであれば、用途に応じて種々の材料を適用することができる。例えば、ポリエチレンテレフタレート、ポリブチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。シール基材４は、これら樹脂を主成分とする共重合樹脂、または、混合体（アロイを含む）、若しくは複数層からなる積層体であっても良い。通常は、ポリエチレンテレフタレート、ポリエチレンナフタレートなどのポリエステル系のフィルムが、耐熱性、機械的強度が高いため、好適に用いられる。
【００３３】
また、シール基材４は、延伸フィルムでも、未延伸フィルムでも良いが、強度を向上させる目的で、一軸方向または二軸方向に延伸したフィルムが好ましい。シール基材４は、これら樹脂の少なくとも１層からなるフィルム、シート、ボード状として使用する。シール基材４の厚さは、通常、２．５μｍ〜５０μｍ程度とすることができるが、好ましくは２．５μｍ〜１２μｍ、より好ましくは４μｍ〜６μｍである。
【００３４】
シール基材４は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００３５】
剥離層５は、隠蔽層６のシール基材４からの削り取りを容易にするための層である。そのため、剥離層５としては、隠蔽層６がシール基材４から容易に剥離できるような接着性の低いものを使用することが好ましい。剥離層５の形成には、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。剥離層５を形成するための塗布量・塗布厚は特に限定されないが、好ましくは、塗布厚は０．１μｍ〜１０μｍである。剥離層５については、隠蔽層６がシール基材４から容易に削り取られる状態が実現できる場合は、形成しなくてもよい。
【００３６】
隠蔽層６は、コイン等で削り取ったり、接着剤により剥離したりすることが可能な層であって、ラベル紙１に設けられた特定情報印刷層を隠蔽するための層である。隠蔽層６は、隠蔽性の高いインキを印刷することにより形成される。具体的には、隠蔽性の高い顔料が、比較的多量にバインダ樹脂中に分散したものであって、必要に応じて、着色の目的で、染料もしくは通常の顔料が配合されたインキであってもよい。
【００３７】
隠蔽層６を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、隠蔽層６を構成するバインダ樹脂としては、上記の隠蔽性の高い顔料を保持し、基材との接着性の良好なものを選択して用い、例えば、天然ゴム、もしくは塩酸ゴム等のゴム系天然樹脂、ポリブタジエン、スチレン−ブタジエン共重合体、アクリロ二トリル−ブタジエン共重合体、ポリイソプレン、ポリクロロプレン、アクリル、塩化ビニル、もしくは塩化ビニル−酢酸ビニル共重合体等を使用する。
【００３８】
例えば、金属粉をインキ化した銀インキなどをオフセット印刷、グラビア印刷、シルクスクリーン印刷などの公知の印刷法で形成すればよく、隠蔽性をあげるために複数回印刷してもよい。また、隠蔽性のある異なるインキによる印刷層を複数層形成してもよい。隠蔽層６を形成するための塗布量・塗布厚は特に限定されないが、好ましくは、塗布厚は０．１μｍ〜１０μｍである。
【００３９】
支持体７は、ラベルＬを支持するための支持体であり、いわゆる台紙としての役割を果たすものである。支持体７としては、用途に応じて種々の材料が適用できる。例えば、天然繊維紙、コート紙、トレーシングペーパー、プラスチックフィルム、ガラス、セラミックス等のいずれでもよく、用途によって適宜選択すればよい。プラスチックフィルムの場合は、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。支持体７は、これら樹脂を主成分とする共重合樹脂、または、混合体（アロイを含む）、若しくは複数層からなる積層体であっても良い。
【００４０】
また、支持体７としてプラスチックフィルムを用いる場合は、延伸フィルムでも、未延伸フィルムでも良いが、強度を向上させる目的で、一軸方向または二軸方向に延伸したフィルムが好ましい。支持体７は、これら樹脂の少なくとも１層からなるフィルム、シート、ボード状として使用する。支持体７は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００４１】
＜３．支持体付ラベルの製造＞
次に、本実施形態に係る支持体付ラベルの製造方法について説明する。図３は、本発明の一実施形態に係る支持体付ラベルの製造方法を示すフローチャートである。まず、支持体７を作成する（ステップＳ１）。具体的には、所定の基材を支持体７の形状に打ち抜き、吊り下げ用孔７ａを打ち抜いて形成し、支持体７上に絵柄等の必要な印刷を行う。支持体７は、作成者の都合に合わせて、適宜作成しておくことができる。すなわち、ラベルＬへの印刷内容が決まっていない状態であっても、作り置きしておくことができる。
【００４２】
次に、ラベル紙１に対して加工を行う。ラベル紙１への加工は、支持体７の作成後、任意のタイミングで作成することができる。上述のように、支持体７を作り置きしておき、必要な情報が全て揃った段階で、ラベル紙１への加工を開始することができる。まず、ラベル紙１に特定情報印刷層を形成する（ステップＳ２）。特定情報印刷層の形成は、オフセット印刷、グラビア印刷、スクリーン印刷、インクジェット印刷、電子写真印刷等の公知の印刷法により行うことができる。
【００４３】
次に、ステップＳ３〜ステップＳ５において、粘着剤層３、シール基材４、剥離層５、隠蔽層６からなる隠蔽シールの製造を行う。まず、シール基材４の一方の面に、剥離層５を形成する（ステップＳ３）。剥離層５は、上述のように、隠蔽層６のシール基材４からの削り取りを容易にするための層である。剥離層５は、例えば、シリコーン系の剥離インキによって形成することもできる。
【００４４】
次に、剥離層５に重ねて、隠蔽層６を形成する（ステップＳ４）。具体的には、シール基材４の一方の面に形成された剥離層５にさらに重ねて、隠蔽性の高い銀インキを、公知の印刷方法もしくは塗布方法により印刷もしくは塗布する。本実施形態では、シルク印刷機を用いてスクリーン印刷法により銀インキをベタ印刷している。
【００４５】
続いて、シール基材４の、剥離層５および隠蔽層６が形成された面と反対側の面に、粘着剤層３を形成する（ステップＳ５）。粘着剤層３における粘着剤の粘度は、１００００ｍＰａ・ｓ〜１０００００ｍＰａ・ｓ程度が好ましい。粘着剤層３の形成のための粘着剤の塗布方法としては、例えば、比較的高速化が可能なグラビア方式やスプレーコート方式、フレキソ方式等によるコーティング等を使用することができる。
【００４６】
次に、シール貼付機を用いて、粘着剤層３、シール基材４、剥離層５、隠蔽層６からなる隠蔽シールを、粘着剤層３をラベル紙１側に向けた状態で貼付する（ステップＳ６）。この際、ラベル紙１上の特定情報印刷層が形成された箇所を覆う位置に位置合わせしながら、隠蔽シールを貼付する。
【００４７】
上記ステップＳ２〜ステップＳ６における処理は、ロール状の状態から巻き出されたタック紙の上紙の上に行われる。さらに、上紙のうち、各ラベル紙１を規定する範囲にハーフカット加工を行い、ラベル紙１となる領域以外の部分をいわゆるカス上げすることにより除去する。この結果、図４に示すようなラベル連続紙（ラベル紙を含む連続状のタック紙）が得られる。ラベル紙１は、連続する剥離紙上にいわゆるアイランド状に残された状態となる。
【００４８】
図４に示すように、ラベル紙１に形成された特定情報印刷層は、隠蔽層６を備えた隠蔽シールにより隠蔽されることになる。また、図４の例では、粘着剤層３、シール基材４、剥離層５、隠蔽層６が形成されている箇所以外を無地（白紙）の状態とし、絵柄等を省略しているが、必要に応じて印刷等によりラベル紙１の表面に任意の情報や絵柄を形成しておいてもよい。例えば、ラベル紙１の支持体７と対向する面には、一次元コードや二次元コード等のコード情報を印刷しておくことができる。一次元コードとしてはバーコード等を用いることができ、二次元コードとしてはＱＲコード（登録商標）等を用いることができる。ラベルＬをＰＯＳＡ（Ｐｏｉｎｔ ｏｆ Ｓａｌｅｓ Ａｃｔｉｖａｔｉｏｎ）として用いる場合は、ラベルを有効化(Ａｃｔｉｖａｔｉｏｎ)するために、バーコード等のコード情報を印刷しておくとともに、ラベルの表面にＩＤ等の特定情報を印刷し、隠蔽しておく必要がある。ラベル紙１への情報の印刷は、オフセット印刷、グラビア印刷、スクリーン印刷、インクジェット印刷、電子写真印刷等の公知の印刷法で行うことができる。
【００４９】
次に、ラベル紙１に加工が行われた状態の連続紙をロール状に巻き取る（ステップＳ７）。ロール状に巻き取った連続紙は、保管、運搬が容易となる。支持体７が、ラベル紙１の連続紙と離れた場所で保管されている場合は、ラベル紙１の連続紙を支持体７の保管場所に運搬して以降のステップ（工程）を実行することになる。
【００５０】
ラベルＬが得られたら、ラベルＬを支持体７に貼付する（ステップＳ８）。具体的には、ラベル貼付機を用いて、連続状の剥離紙からラベルを１つずつ剥離し、剥離されたラベルＬを、ラベルＬの粘着剤層側が支持体７に向くようにして、支持体７の一方の面に貼付する。
【００５１】
この際、ラベルＬと支持体７との平面方向の位置合わせを行いながら、ラベルＬを貼付する。通常、定められた位置に１．０ｍｍ以内の誤差で貼付されるが、ラベルＬが、平面方向において支持体７に収まる位置に貼付されるのであれば、多少の位置ズレは許容される。
【００５２】
ラベルＬを支持体７に貼付した結果、図１、２に示したような隠蔽層６、剥離層５、シール基材４、粘着剤層３、ラベル紙１、粘着剤層２、支持体７の順に積層された支持体付ラベル１０が得られる。
【００５３】
＜４．変形例＞
支持体付ラベルの変形例を図５に示す。図５に示す支持体付ラベル２０は、ラベル紙１、粘着剤層２、支持体７については、図２に示した支持体付ラベル１０と同一であるが、特定情報印刷層に重ねられた部分が異なっている。図５において、図２と同一の構成要素については、同一符号を付して説明を省略する。図５に示す支持体付ラベル２０では、特定情報印刷層に重ねて、上層に剥離層８が形成されている。特に、本実施形態では、剥離層８は、特定情報印刷層を覆うようにして形成されている。すなわち、剥離層８の面積が、特定情報印刷層の面積よりも大きくなるように形成されている。
【００５４】
剥離層８、隠蔽層９は、特定情報印刷層が形成された範囲を全て含む範囲で形成される。剥離層８、隠蔽層９は、特定情報印刷層が形成された範囲を含む最小限の面積で形成されていればよい。剥離層８および隠蔽層９については、特定情報印刷層を隠蔽するため、特定情報印刷層が形成された範囲を全て含む範囲で形成する必要がある。隠蔽層９については、剥離層８が形成された範囲に含まれる範囲に形成されていることが好ましい。剥離層８が形成された範囲に含まれる範囲に形成されていることにより、隠蔽層９の全てを削り取り易くすることができる。
【００５５】
剥離層８、隠蔽層９については、支持体付ラベル１０における剥離層５、隠蔽層６と同様の素材を用いることができる。上記剥離層５、隠蔽層６に利用可能な素材の中から、適宜最適なものを選択すればよい。
【００５６】
次に、変形例に係る支持体付ラベルの製造方法について説明する。図６は、変形例に係る支持体付ラベルの製造方法を示すフローチャートである。まず、支持体７を作成する（ステップＳ１）。具体的には、所定の基材を支持体７の形状に打ち抜き、吊り下げ用孔７ａを打ち抜いて形成し、支持体７上に絵柄等の必要な印刷を行う。
【００５７】
次に、ラベル紙１に対して加工を行う。上述のように、支持体７を作り置きしておき、必要な情報が全て揃った段階で、ラベル紙１への加工を開始することができる。まず、ラベル紙１に特定情報印刷層を形成する（ステップＳ２）。特定情報印刷層の形成は、オフセット印刷、グラビア印刷、スクリーン印刷、インクジェット印刷、電子写真印刷等の公知の印刷法により行うことができる。
【００５８】
次に、ラベル紙１上の特定情報印刷層が形成された箇所を覆う位置に位置合わせしながら、剥離層を形成する（ステップＳ１１）。剥離層８は、上述のように、隠蔽層９の削り取りを容易にするための層である。剥離層８は、例えば、シリコーン系の剥離インキによって形成することもできる。
【００５９】
次に、剥離層８に重ねて、隠蔽層９を形成する（ステップＳ１２）。具体的には、剥離層８にさらに重ねて、隠蔽性の高い銀インキを、公知の印刷方法もしくは塗布方法により印刷もしくは塗布する。変形例においても、シルク印刷機を用いてスクリーン印刷法により銀インキをベタ印刷している。
【００６０】
上記ステップＳ１１〜ステップＳ１２における処理も、上記ステップＳ２〜ステップＳ６と同様、ロール状の状態から巻き出されたタック紙の上紙の上に行われる。この結果、図４に示したようなラベル連続紙が得られる。
【００６１】
変形例においても、必要に応じて印刷等によりラベル紙１の表面に任意の情報や絵柄を形成しておいてもよい。例えば、ラベル紙１の支持体７と対向する面には、一次元コードや二次元コード等のコード情報を印刷しておくことができる。
【００６２】
そして、変形例においても、ラベル紙１に加工が行われた状態の連続紙をロール状に巻き取った後（ステップＳ７）、必要に応じて保管・運搬を行い、ラベルＬを支持体７に貼付する（ステップＳ８）。
【００６３】
ラベルＬを支持体７に貼付した結果、図１、図５に示したような隠蔽層９、剥離層８、ラベル紙１、粘着剤層２、支持体７の順に積層された支持体付ラベル２０が得られる。
【００６４】
＜５．カードを付加した例＞
支持体付ラベルには、さらにカードを付加することもできる。カードを付加した場合の支持体付ラベルについて説明する。図７は、カードを付加した場合の支持体付ラベルのラベルＬ側から見た平面図である。図８は、図７のＢ−Ｂ線に対応する断面図であり、カードを付加した場合の支持体付ラベルの層構成を示している。図７、図８に示した支持体付ラベルは、図１、図２に示した支持体付ラベル１０における支持体７にカード１２を付加した構成となっている。
【００６５】
図７、図８において、図１、図２と同一の構成要素については、同一符号を付して説明を省略する。図７に示すラベルＬの周囲の点線は、図７に示した支持体７の反対側の面に添付されたカード１２の外縁を示すものである。図７の例では、カード１２の面積は、ラベルＬの面積より大きく、支持体の平面方向において、ラベルＬがカード１２にすっぽり収まる関係になっている。
【００６６】
図８に示すように、カード１２は、支持体７のラベルＬが貼付された面と反対側の面に、接着剤層１１を介して接着されている。接着剤層１１は、カード１２を支持体７に接着するために十分な接着強度を備えていればよい。接着剤層１１は、常温で粘着性を有するいわゆる粘着剤を用いて形成してもよいし、粘着剤以外の接着剤を用いて形成してもよい。粘着剤以外の接着剤としては、例えば、ウレタン系、アクリル系、酢酸ビニル系、エチレン−酢酸ビニル共重合体、塩化ビニル−酢酸ビニル共重合体、セルロース樹脂等の熱可塑性樹脂、またはこれらの混合物からなる樹脂を使用することができる。接着剤の塗布は、フレキソ法、グラビア法などの公知の印刷法又はコーティング法によって、厚み０．１〜５０μｍ程度に塗布し、貼り合わせ後に、必要に応じて乾燥させる。
【００６７】
粘着剤を用いて接着剤層１１を形成する場合は、合成ゴム系粘着剤が最も好ましいが、天然ゴム系粘着剤、アクリル系粘着剤、シリコーンゴム系粘着剤等でも良い。接着剤層１１を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。
【００６８】
図７の平面方向におけるカード１２のサイズは、適宜設定することができるが、長辺の長さ（図面左右方向）が８５．６ｍｍ、短辺の長さ（図面上下方向）が５４．０ｍｍであることが一般的である。カード１２の表面には、ラベル紙１の表面に印刷されたバーコードと同一の情報を記録したバーコードが印刷されている。
【００６９】
＜６．支持体付ラベルの使用＞
図１、２に示したような支持体付ラベル１０は、吊り下げ用孔７ａをフックに掛けて吊り下げることにより店舗内に陳列される。支持体付ラベル１０の購入時に、ラベルＬの表面に印刷されたバーコードが、ＰＯＳレジスタに接続されたバーコードリーダーにより読み取られる。ラベルＬがＰＯＳＡに対応している場合は、読み取られた情報は、ネットワークを介して所定のコンピュータに記録され、そのラベルＬは、有効化(Ａｃｔｉｖａｔｉｏｎ)される。
【００７０】
支持体付ラベル１０を店舗で購入した利用者は、特定情報を知るため、隠蔽層６を削る作業を行う。隠蔽層６がラベルＬから剥離されることにより、ラベルＬの特定情報印刷層が露出し、特定情報の視認が可能となる。
【００７１】
ラベルＬがＰＯＳＡに対応している場合は、取得した特定情報を、コンピュータネットワークを介して、所定のコンピュータに登録することにより、有効化されたラベルＬを特定することができる。図１、５に示したような支持体付ラベル２０についても、支持体付ラベル１０と同様の作業が行われ、ラベルＬの有効化および特定が行われる。
【００７２】
＜７．実施例＞
以下の構成でカード１２が付加された支持体付ラベル１０を作成した。
ラベル紙１および粘着剤層２・・・シーレックス社製タック紙「アート紙１３５ｋｇ／四六判」（坪量１６０ｇ／ｍ2）
粘着剤層３、シール基材４、剥離層５および隠蔽層６・・・シーレックス社製スクラッチラベル
支持体７・・・王子マテリア社製「ＯＫエルカード＋」坪量３１０ｇ/ｍ2（コート紙）
接着剤層１１・・・旭化学合成社製「ＡＺ−Ｄ」
カード１２・・・王子マテリア社製「ＯＫエルカード＋」坪量３６０ｇ/ｍ2（コート紙）
【００７３】
上記の構成の支持体付ラベル１０を作成する際、既に決定している図柄等を印刷し、カード１２および支持体７を事前に作り置きしておいた。そして、タック紙の上紙であるラベル紙１に印刷を行った後、連続紙をロール状に巻き取った。ロール状に巻き取った連続紙は、保管および運搬が容易であった。その後、ラベルＬを剥離紙の連続紙から剥がして、支持体７に貼付することにより、隠蔽層を備えた支持体付ラベルが得られた。カード１２および支持体７の強度、接着剤層１１の接着性は良好であった。隠蔽層６はコインで容易に削ることができ、特定情報を視認することができた。
【００７４】
以上、本発明の好適な実施形態について説明したが、本発明は、上記実施形態に限定されず、種々の変形が可能である。例えば、上記実施形態では、特定情報印刷層を隠蔽するための構造として、２つの例について説明したが、特定情報印刷層を隠蔽するための隠蔽層を形成することができれば、どのような構造であってもよい。
【符号の説明】
【００７５】
１・・・ラベル紙
２・・・粘着剤層
３・・・粘着剤層
４・・・シール基材
５・・・剥離層
６・・・隠蔽層
７・・・支持体
７ａ・・・吊り下げ用孔
８・・・剥離層
９・・・隠蔽層
１０、２０・・・支持体付ラベル
１１・・・接着剤層
１２・・・カード
Ｌ・・・ラベル
【図１】
0006728587.tif 000002
【図２】
0006728587.tif 000003
【図３】
0006728587.tif 000004
【図４】
0006728587.tif 000005
【図５】
0006728587.tif 000006
【図６】
0006728587.tif 000007
【図７】
0006728587.tif 000008
【図８】
0006728587.tif 000009